(57)【要約】【課題】機種によって機能が異なる設備機器に対してリモコンを共通化する場合に、煩雑な操作を必要とせず、機種に適合したリモコンに設定することができる設備機器を提供する。【解決手段】設備機器本体と、前記設備機器本体に動作指令を与えるスイッチと、前記スイッチの機能に関する情報を表示する表示部と、を有するリモコンと、を備え、前記設備機器本体が、前記設備機器本体の機種を識別するための情報を含む機種識別信号を送信すると、前記リモコンは、前記機種識別信号を受信し、前記設備機器本体の機種に応じた機能を前記スイッチに割当てるとともに、前記スイッチに割り当てられる機能に関する情報を前記表示部に表示することを特徴とする設備機器が提供される。【選択図】図１
2009161901.tif 000002
【特許請求の範囲】
【請求項１】
設備機器本体と、
前記設備機器本体に動作指令を与えるスイッチと、前記スイッチの機能に関する情報を表示する表示部と、を有するリモコンと、
を備え、
前記設備機器本体が、前記設備機器本体の機種を識別するための情報を含む機種識別信号を送信すると、
前記リモコンは、前記機種識別信号を受信し、前記設備機器本体の機種に応じた機能を前記スイッチに割当てるとともに、前記スイッチに割り当てられる機能に関する情報を前記表示部に表示することを特徴とする設備機器。
【請求項２】
前記リモコンは、前記スイッチに割り当てられた機能と、前記スイッチに割り当てられた機能に対応して前記表示部に表示する情報と、を記憶する不揮発性記憶部をさらに有することを特徴とする請求項１記載の設備機器。
【請求項３】
前記リモコンは、前記設備機器本体の機種と、前記機種に応じて前記スイッチに割り当てられる機能と、の対応関係に関する情報が格納された記憶部をさらに有し、
前記機種識別信号を受信すると、前記機種識別信号によって識別される前記機種に対応した機能を前記記憶部から読み取り、前記スイッチに割り当てることを特徴とする請求項１または２に記載の設備機器。
【請求項４】
前記設備機器本体は、前記設備機器本体の個体を識別するための情報を含む固有ＩＤ信号を前記機種識別信号とともに無線送信し、
前記リモコンは、前記固有ＩＤ信号を受信すると、前記リモコンが操作可能な前記設備機器本体を認識して登録するペアリングを実行することを特徴とする請求項１〜３のいずれか１つに記載の設備機器。
【請求項５】
前記設備機器本体は、前記ペアリングの際には前記固有ＩＤ信号と前記機種識別信号とを送信し、通常動作の際には前記固有ＩＤ信号は送信し前記機種識別信号は送信しないことを特徴とする請求項４記載の設備機器。
【請求項６】
前記リモコンは、前記ペアリングを実行することにより、前記表示部に表示した機能に関する指令の信号を前記設備機器本体に送信可能とされることを特徴とする請求項４または５に記載の設備機器。
【発明の詳細な説明】
【技術分野】
【０００１】
本発明は、リモコンを備えた設備機器に関し、例えばトイレ室に設置され局部洗浄装置などの操作をするリモコンを備えたトイレ装置に関する。
【背景技術】
【０００２】
設備機器には、設備機器本体と、設備機器の動作を操作するためのリモコンと、を備えたものがある。その場合、リモコンを操作することによって、設備機器本体の動作の開始、停止、および動作内容の変更などを行うものである。設備機器の機種の違いによって、リモコンでの設定可能な内容が異なる場合に、リモコンを機種ごとに製作するとコストがかさむという問題がある。またさらに、出荷する際には、機種に対応したリモコンを選定して梱包しなければならないため手間がかかるという問題がある。
【０００３】
そこで、空気調和機とリモコンとが保持する機種別情報を照合して機種別情報が相違する場合に、空気調和機からリモコンに機種別情報を送信してリモコンのメモリに記憶させ、リモコンの機種別情報と空気調和機の機種別情報とを一致させる空気調和機がある（例えば、特許文献１参照）。特許文献１に記載された空気調和機は、機種が違う場合であっても空気調和機が有する機能自体は共通し、設定範囲が相違しているだけであるため、リモコンのスイッチを操作したときに表示部に表示する内容を機種ごとに変更するだけでよい。
【０００４】
しかしながら、機種によって機能が異なる設備機器において、特許文献１に記載された技術を用いると、他の機種より機能が少ない機種においては、表示があって操作可能であるにもかかわらず、動作の入力（指示）ができないという問題がある。  
また、リモコンに設けられた特定のスイッチを操作することによって、リモコンのスイッチに割り当てられた機能および機能の説明の表示を切り替える場合であっても、設備機器の施工時あるいは施工後に、施工業者あるいは使用者が、その設備機器の機種に対応したリモコンとなるようにスイッチを操作しなければならない。そのため、操作が煩雑であり、設定が失敗するおそれがある。
【特許文献１】特開２００３−１４８７９０号公報
【発明の開示】
【発明が解決しようとする課題】
【０００５】
本発明は、かかる課題の認識に基づいてなされたものであり、機種によって機能が異なる設備機器に対してリモコンを共通化する場合に、煩雑な操作を必要とせず、機種に適合したリモコンに設定することができる設備機器を提供する。
【課題を解決するための手段】
【０００６】
本発明の一態様によれば、設備機器本体と、前記設備機器本体に動作指令を与えるスイッチと、前記スイッチの機能に関する情報を表示する表示部と、を有するリモコンと、を備え、前記設備機器本体が、前記設備機器本体の機種を識別するための情報を含む機種識別信号を送信すると、前記リモコンは、前記機種識別信号を受信し、前記設備機器本体の機種に応じた機能を前記スイッチに割当てるとともに、前記スイッチに割り当てられる機能に関する情報を前記表示部に表示することを特徴とする設備機器が提供される。
【発明の効果】
【０００７】
本発明によれば、機種によって機能が異なる設備機器に対してリモコンを共通化する場合に、煩雑な操作を必要とせず、機種に適合したリモコンに設定することができる設備機器が提供される。
【発明を実施するための最良の形態】
【０００８】
以下、本発明の実施の形態について図面を参照しつつ説明する。なお、各図面中、同様の構成要素には同一の符号を付して詳細な説明は適宜省略する。  
図１は、本発明の実施の形態にかかる設備機器が設置されたトイレ空間を例示する模式図である。  
トイレ室９００には、局部洗浄機能などを有する設備機器本体８１０が設けられた便器８００と、この設備機器本体８１０の動作を遠隔制御するリモコン２００と、を有する設備機器が設置されている。以下、設備機器本体８１０が局部洗浄装置である場合、および設備機器がトイレ装置である場合を例に挙げて説明する。
【０００９】
局部洗浄装置８１０は、後に詳述するように、例えばリモコン２００や図示しない室内暖房機などに電波信号を送信する電波送信ユニット８４０（図７参照）を有している。そのため、例えば、局部洗浄装置８１０に設けられた人体検知センサなどがトイレ室９００に入室した人体を検知すると、局部洗浄装置８１０は、リモコン２００に電波信号を送信する。その結果、リモコン２００の可動部２２０（図３参照）を前方に開いたり、トイレ室９００の照明を点灯させることができる。また、局部洗浄装置８１０は、例えば、図示しない室内暖房機に電波信号を送信することによって、室内暖房機の動作開始または動作停止を操作したり、タイマー運転を操作することができる。
【００１０】
リモコン２００は、便器８００の脇に設けられたカウンターの棚板１００の下に取り付けられている。リモコン２００は、例えば局部洗浄装置８１０に赤外線信号を送信する赤外線送信ユニットを有している。そのため、例えば、局部洗浄装置８１０に赤外線信号を送信することによって、便器８００の便蓋や便座を電動により開閉したり、局部洗浄装置８１０に設けられた局部洗浄機能部や、便器８００に洗浄水を流す便器洗浄機能部などを操作することができる。また、リモコン２００は、図示しない照明装置、音楽や効果音などを発生する音響装置、テレビやラジオなどを操作することも可能である。
【００１１】
リモコン２００の下には、トイレットペーパー５９０を保持するペーパーホルダ５００が設けられている。また、図１に例示したように、棚板１００の下には、キャビネット６００を設置してもよい。またさらに、棚板１００には、水栓１７０を付設した手洗いボウル１６０を設けてもよい。また、トイレ室の壁面に鏡９１０を設けて、ドレッサーとしての機能を付与してもよい。
【００１２】
図２は、リモコンの外観を表す模式図である。  
また、図３は、リモコンの可動部が前方に開いた状態を表す模式斜視図である。  
リモコン２００の前面には、第１の操作面２１０と、可動部２２０と、が併設されている。本実施形態のリモコン２００の場合、待機状態において、第１の操作面２１０がリモコン２００の前面に露出し、一方、可動部２２０の化粧面２２１がリモコン２００の前面に露出している。第１の操作面２１０には、後に詳述するように、便器８００に「大洗浄」の洗浄水を流す「大」スイッチ２１２Ａ（図４参照）や、便器８００に「小洗浄」の洗浄水を流す「小」スイッチ２１２Ｂ（図４参照）などのスイッチが設けられている。これらのスイッチ類は、リモコン２００が有するスイッチ類の中で最も使用頻度が高く、またいずれも便座に座らずに便器８００の前に立った状態において使用する可能性が高いものである。本実施形態においては、このように使用頻度が最も高く、また立った状態で使用される可能性が高いスイッチ類を、第１のグループとして、第１の操作面２１０に配置している。
【００１３】
待機状態においては、これら第１の操作面２１０と、可動部２２０の化粧面２２１と、は、略同一の平面を構成する。つまり、すっきりとして見栄えがよく、スリムな外観が与えられている。
【００１４】
一方、可動部２２０は、その下方の長手方向を軸として回動可能とされている。例えば、便座に使用者が座ると、便器８００に付設された局部洗浄装置８１０に設けられた人体検知センサが人体を検知し、図３に表したように、可動部２２０が前方に開く。可動部２２０が開くと、待機状態においては隠蔽されていた第２の操作面２２２がリモコン２００の前方に露出する。第２の操作面２２２は、便座に座った使用者に対面するように傾斜した状態に保持される。このようにして、便座に座った使用者は、操作面２２２に設けられたスイッチを操作することができる。
【００１５】
図４は、リモコンの操作面の遷移を例示する模式図であり、図４（ａ）は、可動部が閉じた状態を表した模式図であり、図４（ｂ）は、可動部が開いて露出した第２の操作面を正面から眺めた模式図である。  
第１の操作面２１０には、便器８００に「大洗浄」の洗浄水を流す「大」スイッチ２１２Ａ、便器８００に「小洗浄」の洗浄水を流す「小」スイッチ２１２Ｂ、便座及び便蓋を電動で閉じる「閉じ」スイッチ２１２Ｃ、便蓋を電動で開く「便蓋」スイッチ２１２Ｄ、便座を電動で開く「便座」スイッチ２１２Ｅ、可動部２２０を開閉する「開閉」スイッチ２１２Ｆがそれぞれ設けられている。これらのスイッチ類は、リモコン２００が有するスイッチ類の中で最も使用頻度が高く、またいずれも便座に座らずに便器８００の前に立った状態において使用する可能性が高いものである。本実施形態においては、このように使用頻度が最も高く、また立った状態で使用される可能性が高いスイッチ類を、第１のグループとして、リモコン２００の第１の操作面２１０に配置している。
【００１６】
一方、第２の操作面２２２には、表示部２１５と、使用者が便座に座った状態において操作する可能性が高いスイッチ類と、が設けられている。すなわち、局部洗浄動作や局部乾燥動作などの動作を停止させる「止」スイッチ２２３Ａ、「おしり」に向けて吐水させる「おしり」スイッチ２２３Ｂ、吐水に広がりを与える「やわらか」スイッチ２２３Ｃ、ビデ洗浄を実行させる「ビデ」スイッチ２２３Ｄ、温風を噴出させて「おしり」などを乾燥させる「乾燥」スイッチ２２３Ｅ、吐水の位置を前後に変更する「洗浄位置」スイッチ２２３Ｆ、吐水の水勢を変更する「水勢」スイッチ２２３Ｇ、吐水位置を自動的に変化させる「ムーブ」スイッチ２２３Ｈ、吐水にマッサージ効果を与える「マッサージ」スイッチ２２３Ｉ、使用者が便座から離れると脱臭ファンの回転数を一定期間だけ上昇させる「パワー脱臭」スイッチ２２３Ｊ、各種の設定を実行するための「設定」スイッチ２２３Ｋなどが設けられている。図４（ｂ）に表したように、表示部２１５には、これらスイッチ類の機能を説明するための言葉や図形などが表示される。
【００１７】
これらのスイッチ類は、いずれも便座に座った状態の使用者が操作する可能性が高いものである。そして、本実施形態によれば、このように、リモコン２００が有するスイッチ類のうちで、２番目に使用頻度が高いスイッチ類を第２のグループとして第２の操作面２２２に配置している。
【００１８】
またさらに、第２の操作面に設けられた「設定」スイッチ２２３Ｋを押すと、第２の操作面２２２の表示部２１５が設定用の表示に切り替わるようにしてもよい。すなわち、吐水の温度や、便座の暖房温度や、乾燥のための温風の温度や、温風を外部に吹き出してトイレ空間を暖房するための温風の温度などを設定するための表示に切り替わるようにしてもよい。
【００１９】
図５は、局部洗浄装置の機種の違いによる第２の操作面の違いを例示した模式図である。すなわち、図５（ａ）は、Ａタイプの局部洗浄装置の第２の操作面を例示した模式図であり、図５（ｂ）は、Ｂタイプの局部洗浄装置の第２の操作面を例示した模式図であり、図５（ｃ）は、Ｃタイプの局部洗浄装置の第２の操作面を例示した模式図であり、図５（ｄ）は、Ｄタイプの局部洗浄装置の第２の操作面を例示した模式図である。
【００２０】
本実施形態の局部洗浄装置８１０は、リモコン２００に電波信号を送信することによって、局部洗浄装置８１０の機種を識別するための機種コードを含む信号（機種識別信号）と、局部洗浄装置８１０の個体を識別するための固有ＩＤ（Identification）を含む信号（固有ＩＤ信号）と、を送信することができる。固有ＩＤは固体を識別するためのものであるから、同一機種の複数の局部洗浄装置８１０は、異なる固有ＩＤを有する。  
そして、局部洗浄装置８１０とリモコン２００とは、固有ＩＤに基づいてペアリングが可能とされている。つまり、特定の局部洗浄装置８１０のみをリモコン２００により操作可能とすることができる。このようにすれば、例えば、同一機種の複数の局部洗浄装置８１０が近隣に存在するような場合であっても、特定の局部洗浄装置８１０のみをリモコン２００により動作させることが可能となり、近接する他の局部洗浄装置８１０の誤動作を防止できる。
【００２１】
一方、リモコン２００は、局部洗浄装置８１０の機種に対応した機能の情報およびその機能の表示内容の情報を記憶している記憶部２４１（図７参照）を有している。ここで、表示内容とは、スイッチ類の操作によって局部洗浄装置８１０が実行する機能を説明するための言葉や図形のことであり、表示部２１５に表示される。そこで、リモコン２００は、局部洗浄装置８１０から送信された機種コードを受信すると、その機種に対応した機能の情報およびその機能の表示内容の情報を記憶部２４１から読み取り、第２の操作面に設けられたスイッチに割り当てることができる。
【００２２】
したがって、Ａタイプの局部洗浄装置８１０がリモコン２００にＡタイプの機種コードを送信し、これをリモコン２００が受信すると、図５（ａ）に表したように、リモコン２００は、局部洗浄動作や局部乾燥動作などの動作を停止させる機能と、その機能の表示内容と、をスイッチ２２３Ａに割り当てる。これと同様にして、「おしり」に向けて吐水させる機能と、その機能の表示内容と、をスイッチ２２３Ｂに割り当て、あるいは、吐水に広がりを与える「やわらか」洗浄の機能と、その機能の表示内容と、をスイッチ２２３Ｃに割り当て、あるいは、ビデ洗浄を実行させる機能と、その機能の表示内容と、をスイッチ２２３Ｄに割り当て、あるいは、温風を噴出させて「おしり」などを乾燥させる機能と、その機能の表示内容と、をスイッチ２２３Ｅに割り当てる。スイッチ２２３Ｆ、スイッチ２２３Ｇ、スイッチ２２３Ｈ、スイッチ２２３Ｉ、スイッチ２２３Ｊ、およびスイッチ２２３Ｋについても同様である。
【００２３】
Ｂタイプの局部洗浄装置８１０がリモコン２００にＢタイプの機種コードを送信し、これをリモコン２００が受信すると、リモコン２００は、「やわらか」洗浄の機能がＢタイプの局部洗浄装置８１０にはないことを記憶部２４１から読み取る。したがって、図５（ｂ）に表したように、「やわらか」洗浄の機能と、その機能の表示内容と、はスイッチ２２３Ｃには割り当てられない。すなわち、スイッチ２２３Ｃに対応する表示部には何も表示されず、スイッチ２２３Ｃを操作してもＢタイプの局部洗浄装置８１０の動作は何も変わらない。その他のスイッチについては、Ａタイプの局部洗浄装置８１０と同様にして、各スイッチに機能およびその機能の表示内容が割り当てられる。
【００２４】
また、Ｃタイプの局部洗浄装置８１０がリモコン２００にＣタイプの機種コードを送信し、これをリモコン２００が受信すると、リモコン２００は、「やわらか」洗浄の機能および「乾燥」の機能がＣタイプの局部洗浄装置８１０にはないことを記憶部２４１から読み取る。したがって、図５（ｃ）に表したように、「やわらか」洗浄の機能と、その機能の表示内容と、はスイッチ２２３Ｃには割り当てられず、これと同様に、「乾燥」の機能と、その機能の表示内容と、はスイッチ２２３Ｅには割り当てられない。すなわち、スイッチ２２３Ｃおよびスイッチ２２３Ｅに対応する表示部には何も表示されず、スイッチ２２３Ｃおよびスイッチ２２３Ｅを操作してもＣタイプの局部洗浄装置８１０の動作は何も変わらない。その他のスイッチについては、Ａタイプの局部洗浄装置８１０と同様にして、各スイッチに機能およびその機能の表示内容が割り当てられる。
【００２５】
さらに、Ｄタイプの局部洗浄装置８１０がリモコン２００にＤタイプの機種コードを送信し、これをリモコン２００が受信すると、リモコン２００は、Ａタイプの局部洗浄装置８１０の「乾燥」の機能の替わりに、「エコモード」の機能を有することを記憶部２４１から読み取る。したがって、図５（ｄ）に表したように、「エコモード」の機能と、その機能の表示内容と、がスイッチ２２３Ｅに割り当てられる。その他のスイッチについては、Ａタイプの局部洗浄装置８１０と同様にして、各スイッチに機能およびその機能の表示内容が割り当てられる。
【００２６】
図６は、比較例の局部洗浄装置の一部の構成の詳細を例示するブロック図であり、図６（ａ）は、「乾燥」の機能を有する比較例の局部洗浄装置を例示するブロック図であり、図６（ｂ）は、「乾燥」の機能を有していない比較例の局部洗浄装置を例示するブロック図である。  
本比較例の局部洗浄装置は、局部洗浄装置がリモコンに機種コードを送信することはなく、リモコンの表示内容が変わることもない。さらに、「乾燥」の機能を有する局部洗浄装置と、「乾燥」の機能を有していない局部洗浄装置と、のリモコンを共通化させている。
【００２７】
「乾燥」の機能を有する局部洗浄装置に設けられた衛生洗浄機能部８３０は、図６（ａ）に表したように、温風を噴出させて「おしり」などを乾燥させる機能を果たす温風ヒータ駆動部８３２と、温風ヒータ８３３と、を有する。また、衛生洗浄機能部８３０は、温水の生成流路を開閉する開閉弁８３７と、温水の生成流路を流れる水の温度を検出するサーミスタなどの温水温度検出手段８３１と、便座ヒータ駆動部８３５と、を有する。図６（ａ）に表した局部洗浄装置８１０は、その他にも、人体検知手段８１２と、着座検知手段８１６と、記憶装置８２２と、赤外線受信ユニット８５０と、電波送信ユニット８４０と、便座ヒータ８３６と、制御部８２０と、を有する。
【００２８】
一方、「乾燥」の機能を有していない局部洗浄装置は、温風ヒータ駆動部８３２と、温風ヒータ８３３と、を有していない。しかしながら、本比較例のリモコンは、本実施形態のリモコン２００のようには表示内容が変わることはないため、本比較例のリモコンには「乾燥」の機能が表示されたままである。すなわち、「乾燥」の機能を有する機種のリモコンと、「乾燥」の機能を有していない機種のリモコンと、の表示内容が同じである。これは、リモコンを共通化させていることにより、リモコンの表示内容を「乾燥」の機能を有する局部洗浄装置に合わせる必要があるためである。これにより、リモコンには「乾燥」の機能が表示されているにもかかわらず、その機能の動作を入力（指示）することができない。したがって、使用者は、リモコンに表示されている機能のうち、何れのスイッチの機能の動作を指示することができるのか困惑するおそれがある。
【００２９】
これに対して、本実施形態によれば、局部洗浄装置８１０の機種に対応した機能およびその機能の表示内容をスイッチに割り当てることができるため、有していない機能が表示されることはない。したがって、リモコンに表示されている機能であれば全て入力（指示）することができるため、使用者は、リモコンに表示されている機能のうち、何れのスイッチの機能の動作を指示することができるのか困惑するおそれは少ない。
【００３０】
図７は、本実施形態のトイレ装置の一部の構成の詳細を例示するブロック図である。  
本実施形態の局部洗浄装置８１０は、制御部８２０と、電波送信ユニット８４０と、を有している。制御部８２０は、マイコン８２１を有しており、例えば、リモコン２００からの指示に基づいて、使用者の「おしり」に向けて洗浄水を吐水させる。また、電波送信ユニット８４０は、マイコン８４１と、ＥＥＰＲＯＭ（Electronically Erasable and Programmable Read Only Memory）などの半導体メモリからなる不揮発性記憶部８４２と、電波ユニット８４３と、アンテナ８４４と、を有している。制御部８２０が有するマイコン８２１と、電波送信ユニット８４０が有するマイコン８４１と、はコネクタ８２５を介して有線で接続されている。
【００３１】
不揮発性記憶部８４２には、機種コードと固有ＩＤとが記憶されている。不揮発性記憶部８４２に記憶された機種コードと固有ＩＤとは、後に詳述するように、施工業者または使用者の所定の操作によって、アンテナ８４４からリモコン２００に電波信号として送信され、ペアリングとリモコン２００の設定が実行される。
【００３２】
一方、リモコン２００は、電波受信ユニット２３０と、リモコン制御部２４０と、表示入出力部（表示部）２１５と、不揮発性記憶部２４３と、を有している。電波受信ユニット２３０はアンテナ２３１を有しており、電波送信ユニット８４０が有するアンテナ８４４から送信された電波信号を受信する。リモコン制御部２４０は、半導体メモリなどからなる記憶部２４１と、ホストマイコン２４２と、を有している。記憶部２４１には、図５に関して前述したように、局部洗浄装置８１０の機種に対応した機能の情報およびその機能の表示内容の情報が記憶されている。表示入出力部２１５は、リモコンマイコン２１６を有しており、割り当てられた表示内容を表示したり、局部洗浄装置８１０に赤外線信号を送信する機能を有している。
【００３３】
リモコン制御部２４０は、電波受信ユニット２３０と、表示入出力部２１５と、不揮発性記憶部２４３と、に対して有線で接続されている。電波受信ユニット２３０は、電波送信ユニット８４０から送信された局部洗浄装置８１０の機種コードと固有ＩＤとを受信すると、リモコン制御部２４０にその機種コードと固有ＩＤとを伝送する。リモコン制御部２４０は、電波受信ユニット２３０から伝送された固有ＩＤに基づいて、局部洗浄装置８１０の固体を識別し登録するペアリングを実行する。またさらに、リモコン制御部は、電波受信ユニット２３０から伝送された機種コードに基づいて、局部洗浄装置８１０の機種に対応した機能の情報およびその機能の表示内容の情報を記憶部２４１から読み取る。リモコン制御部２４０は、記憶部２４１から読み取った情報に基づいて、機能およびその機能の表示内容を各スイッチに割り当てる。これと同時に、又は前後して、割り当てた情報（設定内容）を不揮発性記憶部２４３に記憶する。このように、割り当てた設定内容を不揮発性記憶部２４３に記憶することで、例えば、リモコン２００の電源が切れた後であっても再設定する必要はなく、不揮発性記憶部２４３に記憶された設定内容に基づいて、機能およびその機能の表示内容が設定される。
【００３４】
以下、局部洗浄装置８１０の機種コードと固有ＩＤとをリモコン２００に送信し、その局部洗浄装置８１０の機種に対応した機能およびその機能の表示内容を各スイッチに割り当てる具体例について図面を参照しつつ説明する。  
図８は、局部洗浄装置から電波信号を送信する方法を例示する模式図である。  
また、図９は、リモコンが電波信号を受信する方法を例示する模式図である。  
また、図１０は、リモコンが機種コードと固有ＩＤとを設定登録した状態を例示する模式図である。
【００３５】
まず、トイレ装置の施工業者または使用者は、例えば、局部洗浄装置８１０に設けられた図示しない補助操作部の「ビデ」スイッチを約１０秒間程度だけ長押しする。これにより、局部洗浄装置８１０の不揮発性記憶部８４２に記憶された機種コードと固有ＩＤとが、電波送信ユニット８４０からリモコン２００の電波受信ユニット２３０に送信される。機種コードと固有ＩＤとが送信されるときには、例えば、「ピッ」という電子音が鳴動する。また、電波送信ユニット８４０は、機種コードと固有ＩＤとを約１分間程度送信し続ける。ここでは、例えば、機種コードが「Ｋ１」であり、固有ＩＤが「２５５」であるとする。
【００３６】
続いて、図９に表したように、トイレ装置の施工業者または使用者は、第２の操作面２２２に設けられた「ビデ」スイッチ２２３Ｄを約１０秒間程度長押しする。これにより、局部洗浄装置８１０から送信された電波信号（機種識別信号、固有ＩＤ信号）に基づいて、その局部洗浄装置８１０の機種コードと固有ＩＤの識別と設定の動作が開始される。このとき、リモコン２００の表示部２１５には、例えば「機種コード・固有ＩＤを登録中です」などが表示される。局部洗浄装置８１０の機種コードと固有ＩＤの識別と登録が完了すると、リモコン２００の表示部２１５には、例えば「機種コード・固有ＩＤの登録が完了しました。機種コード：Ｋ１、固有ＩＤ：２５５」などが表示される。図示しない「終了」スイッチを押した場合、または機種コードおよび固有ＩＤの登録が完了した旨の表示が約１分間程度表示された場合には、表示部２１５の表示は図５に表したような通常表示に切り替わる。
【００３７】
機種コードおよび固有ＩＤの登録が完了すると、リモコン制御部２４０は、図１０に表したように、設置された局部洗浄装置８１０が機種コード「Ｋ１」および固有ＩＤ「２５５」であることを認識する。続いて、図７に関して前述した動作に従い、機種コード「Ｋ１」に対応した機能およびその機能の表示内容が各スイッチに割り当てられる。また、固有ＩＤが登録されるため、設置されたリモコン２００と局部洗浄装置８１０との間においてだけ、通信（送受信）が可能となる。この固有ＩＤを登録する必要性については、後に詳述する。
【００３８】
リモコン２００に登録された局部洗浄装置８１０の機種コードおよび固有ＩＤの確認は、例えば、リモコン２００の第２の操作面２２２に設けられた「ビデ」スイッチ２２３Ｄと「止」スイッチ２２３Ａとを同時に約１０秒間程度長押しすることによって可能となる。このとき、例えば「機種コード：Ｋ１、固有ＩＤ：２５５」などが１０進表示される。図示しない「終了」スイッチを押した場合、または機種コードおよび固有ＩＤの確認表示が約１分間程度表示された場合には、表示部２１５の表示は図５に表したような通常表示に切り替わる。
【００３９】
なお、局部洗浄装置８１０は、リモコン２００に固有ＩＤを登録するペアリングのときにだけ、機種識別信号を電波信号に付加して送信することができる。例えば、人体検知センサなどがトイレ室９００に入室した人体を検知したときに、局部洗浄装置８１０がリモコン２００に送信するような電波信号には、固有ＩＤは含めるが機種識別信号は含めないようにすることができる。すなわち、通常動作の際には、固有ＩＤ信号は送信するが機種識別信号は送信しないようにすることができる。これにより、通常動作中に送信する電波信号の長さが短くなるため、信号の送受信を迅速且つ円滑に実行でき、使用電力を低減させることができる。
【００４０】
図１１は、リモコンが機種コードと固有ＩＤとを設定登録していない状態を例示する模式図である。  
図１０に表した状態に対して、リモコン２００が局部洗浄装置８１０の機種コードおよび固有ＩＤを登録していない場合、または何らかの原因により登録が失敗した場合には、リモコン２００は、設置された局部洗浄装置８１０の機種コードおよび固有ＩＤを認識することはできない。この場合には、リモコン制御部２４０は、機能およびその機能の表示内容を各スイッチに割り当てることはできない。すなわち、リモコン２００の第２の操作面２２２には局部洗浄装置８１０の機能は表示されず、使用者がスイッチを操作しても局部洗浄装置８１０は動作しない。そのため、表示部２１５には、例えば「固有ＩＤが登録されていません。施工説明書に従いもう一度やり直してください。」などが表示される。
【００４１】
ここで、機種コードおよび固有ＩＤが登録されない限り、リモコン２００の操作では局部洗浄装置８１０を動作させることは一切できないとすると、便器８００の洗浄さえもできなくなる。これは、使用者にとっては非常に不便であるため、便器８００の洗浄動作と、便蓋や便器の開閉動作と、は機種コードおよび固有ＩＤの登録状態にかかわらず使用可能としておくことが好ましい。すなわち、第１の操作面２１０に設けられたスイッチ類は、機種コードおよび固有ＩＤの登録状態にかかわらず使用可能としておくことが好ましい。これにより、トイレ装置が設置されるとすぐに、使用者は安心して用便を行うことができる。
【００４２】
図１２は、比較例にかかるトイレ装置の機種および固有ＩＤの登録方法を例示する模式図である。  
本比較例においては、まず、施工業者または使用者は、局部洗浄装置の機種が明記された書類などを参照し、設置された局部洗浄装置の機種コードを確認する。また、設置現場において選定動作確認を行う。ここでは、例えば、機種コードが「Ｋ１」であるとする。
【００４３】
続いて、施工業者または使用者は、第２の操作面２２２に設けられた「ビデ」スイッチ２２３Ｄを約１０秒間程度長押しする。これにより、図１２（ｃ）に表したように、表示部２１５には、例えば「機種コードを選択してください。」などが表示される。この指示に従い、施工業者または使用者は、機種コード「Ｋ１」に対応したスイッチを押す。続いて、「終了」に対応したスイッチを押すと機種コードが設定され、図１２（ｄ）に表したように、例えば「機種が設定されました：Ｋ１」などが表示される。
【００４４】
続いて、再び「終了」に対応したスイッチを押すと、例えば「固有ＩＤ登録中です。」などが表示され、固有ＩＤの登録が開始される。固有ＩＤの登録が完了すると、例えば「固有ＩＤが登録されました。ＩＤ：０１０１０」などが表示される。
【００４５】
このように、図１２に表した比較例の登録方法によれば、機種コードが自動的にリモコン２００に登録されるわけではなく、施工業者または使用者は、局部洗浄装置の機種が明記された書類などから機種コードを確認し、その機種コードを施工業者自身または使用者自身が選択する必要がある。したがって、機種コードの登録操作が煩雑であり、また、施工業者または使用者は機種コードを間違えて設定登録するおそれがある。
【００４６】
これに対して、本実施形態によれば、施工業者または使用者が所定のスイッチ操作を行うだけで、設置された局部洗浄装置８１０の機種コードおよび固有ＩＤが自動的にリモコン２００に登録され、その機種コードに対応した機能およびその機能の表示内容が各スイッチに割り当てられる。したがって、機種によって機能が異なる局部洗浄装置に対してリモコンを簡易的に共通化することができる。
【００４７】
以下、固有ＩＤの登録の必要性について、図面を参照しつつ説明する。  
図１３は、固有ＩＤが登録された場合を説明するための模式図である。  
また、図１４は、固有ＩＤが登録されていない場合を説明するための模式図である。  
前述したように、本実施形態によれば、局部洗浄装置８１０に記憶されている固有ＩＤを電波信号によってリモコン２００に送信し、リモコン２００はこの固有ＩＤを登録することができる。そのため、設置されたリモコン２００と局部洗浄装置８１０との間においてだけ、通信（送受信）が可能となる。
【００４８】
固有ＩＤは、局部洗浄装置８１０の生産工程において個体ごとに記憶される。固有ＩＤは、例えば１６ｂｉｔ（binary digit）の情報量、すなわち６５５３５通りの選択肢から１つ選択される。したがって、図１３に表したように、隣家同士または同家の１階と２階とのトイレ装置において、電波信号が混信状態となる可能性は非常に少ない。これは、隣家同士または同家の１階と２階との局部洗浄装置８１０の固有ＩＤが、６５５３５通りの選択肢の中から偶然に一致する可能性は、非常に少ないと考えられるためである。これにより、隣家の局部洗浄装置８１０が送信した電波信号によって、他の隣家のリモコン２００が動作してしまうことは非常に少ない。同家の１階と２階とのトイレ装置についても同様である。
【００４９】
これに対して、局部洗浄装置８１０の固有ＩＤがリモコン２００に登録されていない場合には、図１４に表したように、隣家同士または同家の１階と２階とのトイレ装置において、電波信号が混信状態となる可能性がある。これにより、隣家の局部洗浄装置８１０送信した電波信号によって、他の隣家のリモコン２００が動作してしまう可能性がある。同家の１階と２階とのトイレ装置についても同様である。これは、電波は赤外線とは異なり、家屋の壁などは通り抜ける性質を有しているためである。
【００５０】
したがって、図１４に表したような混信状態を避けるために、局部洗浄装置８１０の固有ＩＤをリモコン２００に登録する必要がある。
【００５１】
図１５は、本実施形態の変形例にかかるトイレ装置を例示する模式図である。  
本実施形態のトイレ装置においては、図７〜１０を参照しつつ説明したように、局部洗浄装置８１０から送信された機種コードに基づいて、リモコン２００は、記憶部２４１に記憶された機能の情報およびその機能の表示内容の情報を読み取り、第２の操作面に設けられたスイッチに割り当てることができる。
【００５２】
これに対して、図１５に表した変形例においては、局部洗浄装置８１０の機種に対応した機能の情報およびその機能の表示内容の情報は、局部洗浄装置８１０に記憶されている。局部洗浄装置８１０は、固有ＩＤとともに、局部洗浄装置８１０の機種に対応した機能の情報およびその機能の表示内容の情報を電波信号としてリモコン２００に送信する。リモコン２００は、局部洗浄装置８１０から送信された機能の情報およびその機能の表示内容の情報に基づいて、機能およびその機能の表示内容を各スイッチに割り当てる。
【００５３】
このように、機種コードだけではなく、局部洗浄装置８１０の機種に対応した機能の情報およびその機能の表示内容の情報を、局部洗浄装置８１０がリモコン２００に送信することによって、リモコン２００は、記憶部２４１に記憶されていない機能を有する機種に対しても対応することができる。すなわち、後に開発された新機能を有する新機種に対してもリモコン２００を簡易的に共通化させることができる。
【００５４】
以上説明したように、本実施形態によれば、施工業者または使用者の所定のスイッチ操作により、局部洗浄装置８１０は、機種コードと固有ＩＤとをリモコン２００に電波信号として送信する。リモコン２００は、局部洗浄装置８１０から送信された電波信号に基づいて、局部洗浄装置８１０の機種に対応した機能の情報およびその機能の表示内容の情報を記憶部２４１から読み取り、機能およびその機能の表示内容を各スイッチに割り当てる。これにより、機種によって機能が異なる局部洗浄装置に対してリモコンを簡易的に共通化することができる。さらに、煩雑な操作を必要とせず、機種に適合したリモコンに設定することができる。
【００５５】
以上、本発明の実施の形態について説明した。しかし、本発明はこれらの記述に限定されるものではない。前述の実施の形態に関しては、設備機器本体が局部洗浄装置である場合、および設備機器がトイレ装置である場合を例に挙げて説明したが、これだけに限られるわけではない。例えば、設備機器本体が空気調和機本体であり、設備機器が空気調和機であってもよい。また例えば、設備機器本体がテレビなどの映像表示機器本体であり、設備機器が映像表示装置であってもよい。
【００５６】
また、前述の実施の形態に関して、当業者が適宜設計変更を加えたものも、本発明の特徴を備えている限り、本発明の範囲に包含される。例えば、局部洗浄装置８１０やリモコン２００などが備える各要素の形状、寸法、材質、配置などや各スイッチの設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００５７】
【図１】本発明の実施の形態にかかる設備機器が設置されたトイレ空間を例示する模式図である。
【図２】リモコンの外観を表す模式図である。
【図３】リモコンの可動部が前方に開いた状態を表す模式斜視図である。
【図４】リモコンの操作面の遷移を例示する模式図である。
【図５】局部洗浄装置の機種の違いによる第２の操作面の違いを例示した模式図である。
【図６】比較例の局部洗浄装置の一部の構成の詳細を例示するブロック図である。
【図７】本実施形態のトイレ装置の一部の構成の詳細を例示するブロック図である。
【図８】局部洗浄装置から電波信号を送信する方法を例示する模式図である。
【図９】リモコンが電波信号を受信する方法を例示する模式図である。
【図１０】リモコンが機種コードと固有ＩＤとを設定登録した状態を例示する模式図である。
【図１１】リモコンが機種コードと固有ＩＤとを設定登録していない状態を例示する模式図である。
【図１２】比較例にかかるトイレ装置の機種および固有ＩＤの登録方法を例示する模式図である。
【図１３】固有ＩＤが登録された場合を説明するための模式図である。
【図１４】固有ＩＤが登録されていない場合を説明するための模式図である。
【図１５】本実施形態の変形例にかかるトイレ装置を例示する模式図である。
【符号の説明】
【００５８】
１００ 棚板、  １６０ ボウル、  １７０ 水栓、  ２００ リモコン、  ２１０ 第１の操作面、  ２１２Ａ、２１２Ｂ、２１２Ｃ、２１２Ｄ、２１２Ｅ、２１２Ｆ スイッチ、  ２１５ 表示入出力部（表示部）、  ２１６ リモコンマイコン、  ２２０ 可動部、  ２２１ 化粧面、  ２２２ 第２の操作面、  ２２３Ａ、２２３Ｂ、２２３Ｃ、２２３Ｄ、２２３Ｅ、２２３Ｆ、２２３Ｇ、２２３Ｈ、２２３Ｉ、２２３Ｊ、２２３Ｋ スイッチ、  ２３０ 電波受信ユニット、  ２３１ アンテナ、  ２４０ リモコン制御部、  ２４１ 記憶部、  ２４２ ホストマイコン、  ２４３ 不揮発性記憶部、  ５００ ペーパーホルダ、  ５９０ トイレットペーパー、  ６００ キャビネット、  ８００ 便器、  ８１０ 局部洗浄装置（設備機器本体）、  ８１２ 人体検知手段、  ８１６ 着座検知手段、  ８２０ 制御部、  ８２１ マイコン、  ８２２ 記憶装置、  ８２５ コネクタ、  ８３０ 衛生洗浄機能部、  ８３１ 温水温度検出手段、  ８３２ 温風ヒータ駆動部、  ８３３ 温風ヒータ、  ８３５ 便座ヒータ駆動部、  ８３６ 便座ヒータ、  ８３７ 開閉弁、  ８４０ 電波送信ユニット、  ８４１ マイコン、  ８４２ 不揮発性記憶部、  ８４３ 電波ユニット、  ８４４ アンテナ、  ８５０ 赤外線受信ユニット、  ９００ トイレ室、  ９１０ 鏡
【図１】
2009161901.tif 000003
【図２】
2009161901.tif 000004
【図３】
2009161901.tif 000005
【図４】
2009161901.tif 000006
【図５】
2009161901.tif 000007
【図６】
2009161901.tif 000008
【図７】
2009161901.tif 000009
【図８】
2009161901.tif 000010
【図９】
2009161901.tif 000011
【図１０】
2009161901.tif 000012
【図１１】
2009161901.tif 000013
【図１２】
2009161901.tif 000014
【図１３】
2009161901.tif 000015
【図１４】
2009161901.tif 000016
【図１５】
2009161901.tif 000017